(57)【要約】【課題】設置場所の状況に応じて傘立ての大きさを変更でき、傘の収容本数に柔軟に対応し、かつ傘をしっかりと保持できる傘立てを提供すること。【解決手段】傘挿入開口部を有する複数の傘保持枠と、該傘保持枠を支持する支持脚とを備え、前記複数の傘保持枠は、格納時に重なり、展開時に面一又は略面一状態となるように構成されていることを特徴とする、傘立て。【選択図】図１２
2017080395.tif 000002
【特許請求の範囲】
【請求項１】
傘挿入開口部を有する複数の傘保持枠と、該傘保持枠を支持する支持脚とを備え、
前記複数の傘保持枠は、格納時に重なり、展開時に面一又は略面一状態となるように構成されていることを特徴とする、傘立て。
【請求項２】
前記傘保持枠は、縦方向及び／又は横方向にスライド可能である、請求項１に記載の傘立て。
【請求項３】
前記傘保持枠は、入れ子状に格納可能である、請求項１又は２に記載の傘立て。
【請求項４】
前記傘保持枠は、観音開きに展開可能である、請求項１〜３のいずれか１項に記載の傘立て。
【請求項５】
前記傘保持枠は、任意の位置を保持するストッパーを備えている、請求項１〜４のいずれか１項に記載の傘立て。
【請求項６】
前記支持脚の下方に受け皿保持部及び／又は受け皿が設置されている、請求項１〜５のいずれか１項に記載の傘立て。
【請求項７】
前記受け皿保持部及び／又は受け皿が複数あり、格納時に重なり、展開時に面一又は略面一状態となるように構成されていることを特徴とする、請求項６に記載の傘立て。
【請求項８】
前記受け皿保持部及び／又は受け皿は、縦方向及び／又は横方向にスライド可能である、請求項７に記載の傘立て。
【請求項９】
前記受け皿保持部及び／又は受け皿は、入れ子状に格納可能である、請求項７又は８に記載の傘立て。
【請求項１０】
前記受け皿保持部及び／又は受け皿は、観音開きに展開可能である、請求項７〜９のいずれか１項に記載の傘立て。
【請求項１１】
前記受け皿保持部及び／又は受け皿は、任意の位置を保持するストッパーを備えている、請求項７〜１０のいずれか１項に記載の傘立て。
【請求項１２】
前記支持脚に移動用部品が備えられている、請求項１〜１１のいずれか１項に記載の傘立て。
【発明の詳細な説明】
【技術分野】
【０００１】
本発明は、可動式傘立てに関する。更に詳細には、本発明は、スライド式傘立て、観音開き式傘立てに関する。
【背景技術】
【０００２】
傘立てが多く設置される場所は、人々が集まるところ、例えば学校、公民館、ホール等が挙げられる。天候が悪い日やイベント等で人が多く集まるときは、傘を多く収納できる傘立てが必要だが、天候が良い日やイベントのない日はその必要がない。
従って、天候や人の集まりに応じてフレキシブルに傘の本数に対応できることが好ましい。
【０００３】
このような観点に鑑み、従来、傘立ての不要時はコンパクトな形態にして仕舞うことができ、必要時に通常の使用形態に戻して設置することができる折り畳み式傘立てや、スライド式吊り下げ傘立て（特許文献１）等が開発されていた。  
例えば、前記スライド式吊り下げ傘立ては、傘をシャフトに吊り下げるタイプの傘立てであって、傘の収容本数に応じてシャフトをスライドさせ、横方向に伸縮できるものである。
【先行技術文献】
【特許文献】
【０００４】
【特許文献１】特開平１０−１０８７７８号公報
【発明の概要】
【発明が解決しようとする課題】
【０００５】
しかしながら、従来の傘立ては、設置場所の状況に応じて傘立ての大きさを変更できるものの、傘の収容本数に柔軟に対応できるものではなく、また傘をしっかりと保持できるものではなかった。
【課題を解決するための手段】
【０００６】
本発明者らは、前記課題を解決すべく鋭意検討を行った結果、傘保持枠を縦及び／又は横方向にスライドする構造、又は傘保持枠を観音開き構造にすることに想到し、本発明を完成するに至った。
ここで、「傘保持枠」とは、例えば複数のロッドを縦と横に組み合わせて形成された空間（以下、「傘挿入開口部」ということがある）に、傘をしっかり収納できるように前記ロッドを固定する枠をいう。
【０００７】
本発明は、傘挿入開口部を有する複数の傘保持枠と、該傘保持枠を支持する支持脚とを備え、前記複数の傘保持枠は、格納時に重なり、展開時に面一又は略面一状態となるように構成されていることを特徴とする、傘立てを提供する。
前記傘保持枠は、縦方向及び／又は横方向にスライド可能であることが好ましい。
また、前記傘保持枠は、入れ子状に格納可能であってもよい。
更に、前記傘保持枠は、観音開き状に展開可能であってもよい。前記傘保持枠は、入れ子構造と観音開き構造を組み合わせた構成にしてもよい。
前記傘保持枠は、任意の位置に該傘保持枠を保持するストッパーを備えていることが好ましい。ストッパーは前記支持脚にあってもよい。
更に、前記支持脚の下方に受け皿保持枠及び／又は受け皿が設置されていてもよい。
前記受け皿保持枠及び／又は受け皿は複数でもよく、この場合、格納時に重なり、展開時に面一又は略面一状態となるように構成される。
前記受け皿保持枠及び／又は受け皿は、縦方向及び／又は横方向にスライド可能であることが好ましい。
前記受け皿保持枠及び／又は受け皿は、入れ子状に格納可能であってもよい。
前記受け皿保持枠及び／又は受け皿は、観音開き状に展開可能であってもよい。前記受け皿保持枠及び／又は受け皿は、入れ子構造と観音開き構造を組み合わせた構成にしてもよい。
更に、前記受け皿保持枠及び／又は受け皿は、任意の位置に、該受け皿保持枠及び／又は受け皿を保持するストッパーを備えていることが好ましい。ストッパーは前記支持脚にあってもよい。
更にまた、前記支持脚に移動用部品が備えられていることが好ましい。
【発明の効果】
【０００８】
本発明によれば、傘保持枠を可動式にすることにより、傘の本数が多いときは傘保持枠を展開して収容可能本数を多くし、傘の本数が少ないときは傘保持枠を格納して収容可能本数を少なくすることができる。傘立ての必要性が低いときは、スペースをとらないように傘保持枠等を格納することができる。
【図面の簡単な説明】
【０００９】
【図１】本発明の傘立てを伸長した状態を示す傘立てを上から見た平面図である。
【図２】本発明の傘立てを伸長した状態を示す図面代用写真である。
【図３】本発明の傘立てを伸長した状態を示す側面図である。
【図４】本発明の傘立てのストッパーの構造を示す図面代用写真である。
【図５】本発明の傘立てのストッパーの構造を示す図面代用写真である。
【図６】本発明の傘立てを収納した状態を示す側面図である。
【図７】本発明の傘立てを途中まで収納したときの図面代用写真である。
【図８】本発明の傘立てを収納した状態を示す正面図である。
【図９】本発明の傘立てを収納したときの図面代用写真である。
【図１０】本発明の傘立てに受け皿を備えた状態を示す平面図である。
【図１１】本発明の傘立てを収納したときの図面代用写真である。
【図１２】本発明の傘立てを途中まで伸長したときの図面代用写真である。
【図１３】本発明の傘立てを伸長した状態を示す図面代用写真である。
【図１４】本発明の傘立てを収納した状態を示す図面代用写真である。
【図１５】本発明の傘立てを開いた状態を示す図面代用写真である。
【図１６】本発明の傘立てに備えた受け皿を示す図面代用写真である。
【発明を実施するための形態】
【００１０】
まず、本発明に係る傘立ては、傘挿入開口部を有する傘保持枠と、該傘保持枠を支持する支持脚とを備える。
前記傘挿入開口部は、傘を挿入し、立てておくことができる部分である。傘挿入開口部の形状は、上から見て四角形等の多角形や円形等、様々な形状をとることでき、特に限定されない。
傘挿入開口部が例えば四角である場合、縦ロッド、横ロッドを交差させることで形成でき、若しくは、板を交差させることで形成することができる。傘挿入開口部が例えば円である場合、樹脂板等を、傘を挿入できる大きさに円状に貫通することで形成できる。
【００１１】
前記傘保持枠は、傘挿入開口部の形成に用いられているロッドや金属板、樹脂板等を保持する枠である。傘保持枠の形状は特に限定されず、長方形、正方形、三角形の多角形や、円形等、傘立てのデザインに応じて様々な形状をとることができ、特に限定されない。
【００１２】
本発明の傘立ては、傘保持枠を複数有し、上下に重ねることができる。
複数の傘保持枠を完全に重ねた場合、傘保持枠１つ分の大きさの傘立てになり、傘挿入開口部の数も１つの傘保持枠にある数になる。
２つの傘保持枠を重ならないようにし、２つの傘保持枠が連なるようにした場合、傘保持枠２つ分の大きさの傘立てになり、傘挿入開口部の数も２倍となる。
あるいは、２つの傘保持枠を半分だけ重なるようにすると、傘保持枠１つ半の大きさの傘立てになる。例えば、上となる傘挿入開口部に対して、下となる傘挿入開口部が半分だけ重なるようにすれば、１つの傘挿入開口部を２つに分けることができ、１つの傘挿入開口部あたりの面積は小さくなるが、傘挿入開口部の数は増やすことができる。
【００１３】
前記支持脚は、例えば、前記傘保持枠が四角形であれば、四隅を支持するように設けることが好ましい。支持脚の長さは、特に限定されないが、傘保持枠ごとに変えてもよいし、複数の傘保持枠において全て同一でもよい。
【００１４】
支持脚の長さを傘保持枠ごとに変えて、いわゆるネスティングテーブルと呼ばれる、形状が同一で大きさが異なるテーブルを順に収納できるような方式を、本発明の傘立てに適用することができる。
この場合、形状が同一で大きさが異なる複数の傘立てを、そのうちで最も大きい傘立てに、入れ子式にスライドしてすべて収納すれば、１つの傘立てとして使用できる。あるいは、入れ子式に収納された傘立てを、伸長するようにスライドして完全に外し、ばらばらにして、１つ１つを傘立てとして使用することもできる。完全に外さずに、少しの段差がある略面一状態にして使用することもできる。
【００１５】
なお、本明細書において、入れ子とは、形状が同一又は類似の複数のものを順に中に収納できるようにしたものをいう。
【００１６】
また、一組の支持脚に、３つの傘保持枠を高・中・低のように高さを変えて設置し、各傘保持枠がスライドして机の引き出しのように出し入れできる構成にしてもよい。
傘保持枠をスライドした際に指等を挟まないように数センチの隙間を空けることや、枠の厚みを増すこと等の工夫により、本発明の傘立てによる怪我を防止する構造にすることが好ましい。入れ子式傘立ても観音開き式傘立ても同様である。
【００１７】
傘保持枠をスライドしたとき、任意の位置に止まるように、傘保持枠にストッパーを設けてもよい。ストッパーの種類は、特に限定されない。例えば、上となる傘保持枠に孔をあけておき、下となる傘保持枠に上下にわずかに動く球状のストッパーを備えておく。傘保持枠をスライドして孔に球状のストッパーが入ると、いったんスライドしなくなるが、球状のストッパーを下に押すと、孔から球状のストッパーが外れ、さらにスライドできるようになる。
また、別のストッパーとしては、傘保持枠にくぼみをつけてノッチにしたものや、傘保持枠を入れ子状からスライドしたときに傘保持枠同士が外れない様に、傘保持枠の隅や支持脚に、傘保持枠同士がひっかかるものでもよい。
【００１８】
あるいは、重なっている傘保持枠を、同じ高さになるように完全に伸長して重なりを外し、面一状態にして傘保持枠同士を同じ高さのまま維持できるように、傘保持枠維持装置を付与してもよい。
【００１９】
更に、支持脚も上下にスライドして前述のようなストッパーを設け、傘立ての高さを変えられるようにしてもよい。子供用傘や折り畳み傘の収納に適した傘立てにすることができる。
【００２０】
なお、支持脚は、傘保持枠を水平に保持し、傘保持枠を入れ子状等に収納するのに妨げにならず、前述のようにスライドして伸縮することができれば、形状は特に限定されず、柱状、板状等をとりうる。
【００２１】
また、支持脚に、キャスターやローラー等の移動用部品を付けて、傘立てを容易に移動できるようにしてもよい。該移動部品は、全ての支持脚に付けなくてもよい。例えば、２つの傘保持枠が左右に並ぶように傘立てを伸長したとき、左側の傘保持枠の支持脚にのみ移動用部品を付けておき、右側の傘保持枠の支持脚には移動用部品を付けないようにすれば、傘立て全体を少し左側に傾けて、左側に付いている移動用部品を利用して傘立てを移動することができる。
【００２２】
支持脚の下方には、傘の先端を受けることができる受け皿を設置してもよい。該受け皿を設置できるように、支持脚に受け皿保持部を設けることが好ましい。
受け皿保持部は、前述の傘保持枠と同様に、受け皿保持枠ごとに高さが異なるように支持脚に設置することにより、受け皿保持部及び受け皿を重ねて入れ子状に収納することができる。また、受け皿保持部及び／又は受け皿を任意の位置に保持できるようストッパーを設けてもよい。
【００２３】
なお、傘保持枠及び／又は受け皿保持部のスライドがスムーズにできるよう、上の傘保持枠と下の傘保持枠の間及び／又は上の受け皿保持部と下の受け皿保持部との間に、例えばローラーやキャスター等を備えていてもよい。
【００２４】
別の形態として、図１４〜図１６に示すような傘立ても作製できる。
すなわち、傘挿入開口部を有する傘保持枠の上に、観音開き式に開閉可能な右傘保持枠と左傘保持枠とが取り付けられた傘立てである。
【００２５】
具体的には、第一の傘保持枠の上に、第一の傘保持枠よりも小さい第二の傘保持枠及び第三の傘保持枠が重なり、第一の傘保持枠と第二の傘保持枠が重なっている一辺と、第一の傘保持枠と第三の傘保持枠が重なっている一辺とを、例えば蝶番等で連結し、第二及び第三の傘保持枠を、観音開きのように開いて、第一の傘保持枠と第二及び第三の傘保持枠とが同じ高さになるように維持する構造が考えられる。
【００２６】
観音開きにする前は、第一の傘保持枠に、第二及び第三の傘保持枠が重なっているので、傘挿入開口部の数は、第一の傘保持枠が有する傘挿入開口部の数と同一であるが（図１４）、観音開きにした後は、第一の傘保持枠が有する傘挿入開口部の数に、第二及び第三の傘保持枠が有する傘挿入開口部の数が加わり、多くの傘を収容できる（図１５）。
【００２７】
観音開きにした第二及び第三の傘保持枠は、その高さを維持できるように、支持脚と第二及び第三の傘保持枠とを連結して支える支持棒などを備えてもよい。支持棒は、傘保持枠及び／又は支持脚からずれたり外れたりしないよう、ロック機能を付してもよい。
【００２８】
更に、当該傘立てに、受け皿、受け皿保持部を備えてもよい。一例としては、受け皿保持部に、第一の傘保持枠に対応する受け皿を設置し、該受け皿の上に、第二の傘保持枠に対応する受け皿、第三の傘保持枠に対応する受け皿をそれぞれ設置する（図１４）。
【００２９】
傘立てを観音開きした後、第二の傘保持枠の下に第二の傘保持枠に対応する受け皿を置き、第三の傘保持枠の下に第三の傘保持枠に対応する受け皿を置くことができる（図１６）。あるいは、受け皿保持部及び／又は受け皿を観音開き式に展開できる構造にしてもよい。
【００３０】
（実施形態１）
以下、本発明の傘立ての例を、図面を参照しながら説明する。
【００３１】
図１は、２つの傘保持枠を有し、これら傘保持枠を伸長方向にスライドした状態を上からみた様子を示す。複数の縦ロッド２４と横ロッド２５が直角に交差し、正方形の傘挿入開口部２２を形成する。縦ロッド２４と横ロッド２５は、傘保持枠２１に連結し支持される。各傘保持枠の四隅には、それぞれ柱状の支持脚３１が設置される。
図２に、当該傘立ての試作品を伸長したときの写真を示す。
【００３２】
図３は、図１の傘立てを正面からみた様子を示す。２つの傘保持枠２１は、右と左で高さが違い、スライドして入れ子状になるように構成される。受け皿保持枠４１も同様に構成される。図３の中央の２本の支持脚は、右が左側の傘保持枠２１を支える支持脚であり、左が右側の傘保持枠２１を支える支持脚である。入れ子状の傘保持枠を伸長したときに、傘保持枠が互いに外れないよう、これらの支持脚がストッパーの役目を果たしている。
支持脚がストッパーの役目を果たす場合の構造の例を図４（上からみたところ）及び図５（下からみたところ）に示す。
【００３３】
図６は、図１の傘立ての傘保持枠を入れ子状にしたときの側面の様子を示す。各２つの傘保持枠２１、受け皿保持枠４１、受け皿部４２が重なるように構成される。
図７に、傘立ての試作品を途中まで入れ子状にしたときの様子を示す。
【００３４】
図８は、図１の傘立ての傘保持枠を入れ子に短縮したときの正面の様子を示す。各２つの傘保持枠２１、受け皿保持枠４１、受け皿部４２が重なるように構成され、伸長したときに右側の傘保持枠の支持脚３１であったものと左側の傘保持枠の支持脚３１であったものが、入れ子状にすると並ぶように構成される。
図９に、傘立ての試作品を入れ子に収納したときの写真を示す。
【００３５】
図１０は、図１の傘立ての傘保持枠を入れ子状にし、受け皿部を設置した状態を上からみた様子を示す。伸長したときに右側にあった傘保持枠と左側にあった傘保持枠の縦ロッド２４と横ロッド２５が重なり、傘挿入開口部２２の数が減り、傘の収容可能本数を少なくしている。受け皿部４２は、トレー状になっており、傘立ての大きさに適応するよう、設置するトレーの数を増減できるようになっている。
【００３６】
（実施形態２）
傘立ての基本構造は実施形態１と同様であるが、入れ子式に収納した傘立ての伸長を途中で止めて、上の傘挿入開口部と下の傘挿入開口部が半分重なるようにした例を示す。
【００３７】
当該傘立てを入れ子に収納したときの様子を図１１に示す。このとき、傘挿入開口部は６つである。
傘保持枠をスライドして、傘保持枠の一部を重ねた状態にすると、例えば図１２に示すように、傘保持枠が重なっている部分は、傘挿入開口部あたりの面積は狭くなるが、傘挿入開口部の数は多くなる。
当該傘立てを完全に伸長した場合を図１３に示す。
【００３８】
（実施態様３）
観音開きの傘立ての例を示す。
図１４は、第一の傘保持枠の左半分の上に第二の傘保持枠が重なり、第一の傘保持枠の右半分の上に第三の傘保持枠が重なった状態を示す。このとき、傘挿入開口部は１６個である。
【００３９】
図１５に、観音開きにして、第二、第一、第三の傘保持枠を水平にした状態を示す。傘立ての傘挿入開口部は、合計で３２個となる。
当該傘立ては、例えば図１６に示すように受け皿を配置してよく、傘立てを収納しているときは、図１４に示すように受け皿を重ねて収納することができ、傘立てを開いたときは、重ねた受け皿を外して、図１５及び図１６に示すように、第二及び第三の傘保持枠の下に配置することができる。
【符号の説明】
【００４０】
１    傘立て
２１  傘保持枠
２２  傘挿入開口部
２４  縦ロッド
２５  横ロッド
３１  支持脚
４１  受け皿保持枠
４２  受け皿
【図１】
2017080395.tif 000003
【図２】
2017080395.tif 000004
【図３】
2017080395.tif 000005
【図４】
2017080395.tif 000006
【図５】
2017080395.tif 000007
【図６】
2017080395.tif 000008
【図７】
2017080395.tif 000009
【図８】
2017080395.tif 000010
【図９】
2017080395.tif 000011
【図１０】
2017080395.tif 000012
【図１１】
2017080395.tif 000013
【図１２】
2017080395.tif 000014
【図１３】
2017080395.tif 000015
【図１４】
2017080395.tif 000016
【図１５】
2017080395.tif 000017
【図１６】
2017080395.tif 000018